(57)【要約】【課題】不陸調整材料や施工時間を効率的に使用できる床下地材を提供することである。【解決手段】床下地材１は、床下地材本体２の下面における不陸調整材４が位置する箇所に不陸調整用突起３が設けられ、該不陸調整用突起３が切断自在であり、不陸調整用突起３は中央部の突起５の周囲に径の異なるリング状の突起６を標的状に配置してなり、リング状の突起６に適宜間隔ごとに切欠溝７が設けられている。【選択図】図１
2007327183.tif 000002
【特許請求の範囲】
【請求項１】
床下地材本体の下面における不陸調整材が位置する箇所に不陸調整用突起が設けられ、該不陸調整用突起が切断自在であることを特徴とする床下地材。
【請求項２】
不陸調整用突起は中心の突起の周囲に径の異なるリング状の突起を標的状に配置してなり、リング状の突起に適宜間隔ごとに切欠溝が設けられたことを特徴とする請求項１に記載の床下地材。
【発明の詳細な説明】
【技術分野】
【０００１】
本願発明は床下地材に関するものである。
【背景技術】
【０００２】
従来、集合住宅における床構造は、図７に示すように、コンクリートスラブ１４の上面にモルタルなどの不陸調整材１５を介して発泡プラスチックス製の床下地材１６が密接状に敷き詰められて構成されている。この床下地材１６の厚みを決定する際は不陸代の一番低い部分で設定していた。また、その他の床構造としては、例えば特開２００５−３２０７６６号の発明が知られている。
【特許文献１】特開２００５−３２０７６６号公報
【発明の開示】
【発明が解決しようとする課題】
【０００３】
しかし、上記の床構造は、床下地材の厚みを決定する際に不陸代の一番低い部分で設定しているために、床スラブ面の不陸にバラツキが大きいと不陸調整材を大量に使うことになり、不経済でかつ施工時間のロスになっていた。
【０００４】
本願発明はこれらの問題に鑑みてなされたものであり、その目的は、不陸調整材および施工時間が効率的に使用できる床下地材を提供することである。
【課題を解決するための手段】
【０００５】
以上の課題を解決するための床下地材は、床下地材本体の下面における不陸調整材が位置する箇所に不陸調整用突起が設けられ、該不陸調整用突起が切断自在であることを特徴とする。また不陸調整用突起は中心の突起の周囲に径の異なるリング状の突起を標的状に配置してなり、リング状の突起に適宜間隔ごとに切欠溝が設けられたことを含むものである。
【発明の効果】
【０００６】
床下地材本体の下面に不陸調整用突起を設けたことにより、この不陸調整用突起分の不陸調整材を省くことができ、経済的である。また不陸幅が極端に大きなコンクリートスラブであっても不陸調整用突起をカットすることにより、不陸の微調整ができるので厚みが一種類の下地材で十分に対応することができる。また不陸調整用突起が中心の突起の周囲に径の異なるリング状の突起を標的状に配置してなり、このリング状の突起に適宜間隔ごとに切欠溝が設けられたことにより、突起が不陸調整材中に食い込むので床下地材の安定的な設置ができる。
【発明を実施するための最良の形態】
【０００７】
以下、本願発明の床下地材の実施の形態について説明する。各実施の形態において同じ構成は同じ符号を付して説明し、異なった構成にのみ異なった符号を付して説明する。
【０００８】
図１は第１の実施の形態の床下地材１であり、この床下地材１は床下地材本体２の下面における不陸調整材が位置する箇所に不陸調整用突起３が適宜間隔ごと、すなわち不陸調整材４と同じ数である縦列５個、横列６個設置されている。
【０００９】
この陸調整用突起３は中央部の円盤突起５の周囲に径の異なるリング状の突起６を標的状に配置してなり、リング状の突起６に適宜間隔ごとに切欠溝７が設けられてなり、この切欠溝７によってリング状の突起６が細かくなっている。これらの細かくなった突起６は不陸調整材４中に食い込み易くなり、かつ必要な箇所のみをカットし易くなっている。すなわち、不陸調整用突起３の全てをカットしなくとも、所定の箇所を残した状態でカットすることができる。なお、この陸調整用突起３は円形に限らず、中央部の突起５およびリング状の突起６が矩形、三角形、または多角形であっても良い。
【００１０】
この床下地材１は発泡樹脂複合体であり、ポリスチレン系樹脂、ポリレオフィン系樹脂、ウレタン系樹脂などの発泡樹脂からなる下部材８と、この下部材８の上面に設置された硬質熱可塑性発泡樹脂の桟木（図示せず）から構成されている。
【００１１】
また図２は、床下地材１をコンクリートスラブ９の上面に不陸調整材４を介して設置したものであり、不陸調整材４に不陸調整用突起３が載っているので、その分の不陸調整材４を省略することができるとともに、設置も簡単にできるので施工時間も短縮される。
【００１２】
また図３は不陸が大きい場合であり、特に床下地材１を設置する中央部が凹んでいるときは、両側の不陸調整用突起３をカットし、中央部の不陸調整用突起３を残している。また、これ以外に、図４に示すように、不陸調整用突起３の一部のみをカットして、その他の部分を残すこともできる。このようにコンクリートスラブ上面の不陸の状態に応じて不陸調整用突起をカットすることにより、不陸調整材４を大幅に省略することができるとともに、設置も簡単にできて施工時間が短縮される。
【００１３】
図５は第２の実施の形態の床下地材１０であり、この床下地材１０は床下地材本体１１の下面全面に不陸調整用突起３が形成されている。この不陸調整用突起３は円形の小突起１２が縦横等間隔ごとに突出されて構成され、各小突起１２は同径である。したがって、コンクリートスラブ９上面の不陸の状態に応じてこれらの小突起１２をカットするものである。
【００１４】
なお、この小突起１２は、同図の（３）に示すように、カットし易くするために上部に向かって漸次細く形成することもできる。また図６に示すように、不陸調整材４が位置する箇所に小突起１２を設けて構成した不陸調整用突起３を、不陸調整材４と同じ数である縦列５個、横列６個設置することもできる。
【図面の簡単な説明】
【００１５】
【図１】第１の実施の形態の床下地材であり、（１）は底面図、（２）は側面図、（３）は不陸調整用突起の底面図、（４）はＡ−Ａ線断面図である。
【図２】第１の実施の形態の床下地材をスラブ上面に設置した断面図である。
【図３】（１）は第１の実施の形態の床下地材を不陸の大きなスラブ上面に設置した断面図、（２）は（１）の底面図である。
【図４】（１）は不陸調整用突起の一部をカットした床下地材の平面図、（２）は一部をカットした不陸調整用突起の底面図である。
【図５】第２の実施の形態の床下地材であり、（１）は底面図、（２）は側面図、（３）は不陸調整用突起の断面図である。
【図６】床下地材の底面図である。
【図７】従来の床下地材であり、（１）は底面図、（２）はスラブに設置した断面図である。
【符号の説明】
【００１６】
１、１０、１６  床下地材
２、１１  床下地材本体
３  不陸調整用突起
４、１５  不陸調整材
５  円盤突起
６  リング状の突起
７  切欠溝
８  下部材
９、１４  コンクリートスラブ
１２  小突起
【図１】
2007327183.tif 000003
【図２】
2007327183.tif 000004
【図３】
2007327183.tif 000005
【図４】
2007327183.tif 000006
【図５】
2007327183.tif 000007
【図６】
2007327183.tif 000008
【図７】
2007327183.tif 000009